(57)【要約】【課題】プレストーク方式の無線通信システムにおいて、音声コーデック処理時間により送話音声末尾が無線区間に送信される前に終話処理が開始され、音声尻切れが発生し、ユーザが意図的に送話時のプレスを延長する必要があり、ユーザに負担をかけていた。【解決手段】本発明は、基地局装置を介して第１の移動局と第２の移動局との間で通信を行う無線通信システムであって、基地局装置は、第１の移動局または第２の移動局から送信された音声データを受信する受信手段と、音声データから音声コーデック処理時間を算出する音声コーデック処理時間算出手段と、第１の移動局または第２の移動局に送信する終話処理開始信号を算出した音声コーデック処理時間分遅延させる終話処理開始遅延手段と、第１の移動局または第２の移動局の終話処理開始前に再度音声データを受信すると終話処理を開始することなく通信を継続する通信継続手段と、を有することを特徴とする。【選択図】  図１
2014078827.tif 000002
【特許請求の範囲】
【請求項１】
基地局装置を介して第１の移動局と第２の移動局との間で通信を行う無線通信システムにおいて、
前記基地局装置は、前記第１の移動局または前記第２の移動局から送信された音声データを受信する受信手段と、前記音声データから音声コーデック処理時間を算出する音声コーデック処理時間算出手段と、前記第１の移動局または前記第２の移動局に送信する終話処理開始信号を算出した前記音声コーデック処理時間分遅延させる終話処理開始遅延手段と、前記第１の移動局または前記第２の移動局の終話処理開始前に再度音声データを受信すると終話処理を開始することなく通信を継続する通信継続手段と、を有することを特徴とする無線通信システム。
【発明の詳細な説明】
【技術分野】
【０００１】
本発明は、プレストーク方式の無線通信システムに関し、特に音声処理に伴う後部音声の欠け（音声の尻切れ）対策に関するものである。
【背景技術】
【０００２】
従来、プレストーク方式の無線通信システムにおいて、通話中に遅延させた音声を元の音声出力に戻せなかった場合は、プレススイッチがＯＦＦされても論理制御部で無線機へのプレス制御を停止せず、十分に音声が出力され遅延した時間分プレス断を延ばしたのちプレスをＯＦＦし、後部音声が欠けないようにする技術が開示されている（例えば、特許文献１参照。）。
【先行技術文献】
【特許文献】
【０００３】
【特許文献１】特開平１１−１６３７８６号公報
【発明の概要】
【発明が解決しようとする課題】
【０００４】
プレストーク方式の無線通信システムにおいて、音声コーデック処理のための音声遅延による音声尻切れの対応としてユーザがプレス時間を長くする必要がある。
【課題を解決するための手段】
【０００５】
本発明は、基地局装置を介して第１の移動局と第２の移動局との間で通信を行う無線通信システムであって、基地局装置は、第１の移動局または第２の移動局から送信された音声データを受信する受信手段と、音声データから音声コーデック処理時間を算出する音声コーデック処理時間算出手段と、第１の移動局または第２の移動局に送信する終話処理開始信号を算出した音声コーデック処理時間分遅延させる終話処理開始遅延手段と、第１の移動局または第２の移動局の終話処理開始前に再度音声データを受信すると終話処理を開始することなく通信を継続する通信継続手段と、を有することを特徴とする。
【発明の効果】
【０００６】
本発明によれば、プレストーク方式の無線通信システムにおいて、プレスオフ後、所定時間は終話処理を開始しないため、所定時間内にプレスオンすれば通話を継続できる。
また、送話側から送信するプレスオフ時の終話処理開始信号を前回送信した音声データの音声コーデック処理時間に応じて遅延させるため、後部音声の欠け（音声の尻切れ）を回避できる。
【図面の簡単な説明】
【０００７】
【図１】プレストーク方式の無線通信システムの構成例を示す図である。
【図２】本発明の一実施例に係る無線通信システムの動作を説明するためのシーケンス図である。
【図３】本発明の他の一実施例に係る無線通信システムの動作を説明するためのシーケンス図である。
【発明を実施するための形態】
【０００８】
本発明の一実施例を図で説明する。
図１はプレストーク方式の無線通信システムの構成例を示す図である。
図１において、基地局１１は送信機と受信機とアンテナを備えており、回線制御装置１２は基地局１１と移動局２１，２２との間で回線制御を行い、通信卓１３は基地局装置１０を介して移動局２１，２２との間で通話を行う。  
基地局通信は移動局２１と移動局２２または通信卓１３が基地局装置１０を介して無線通信を行い、直接通信は移動局２１と移動局２２が直接に無線通信を行う。
基地局装置１０は基地局１１と回線制御装置１２で構成されており、通信領域が基地局ゾーン１４である。
チャネル構成としては、基地局装置１０の下り無線キャリアでは周波数ｆ１が使用され、基地局装置１０の上り無線キャリアでは周波数ｆ２が使用され、移動局間での直接通信用キャリアでは周波数ｆ３が使用される。ここで、各周波数ｆ１、ｆ２、ｆ３は、例えば、それぞれ異なる周波数である。
【０００９】
次に図２を用いて、本発明の一実施例の動作について説明する。
図２は本発明の一実施例に係る無線通信システムの動作を説明するためのシーケンス図である。図２は通信卓１３から基地局装置１０を経由して移動局２１，２２に一斉通報する場合である。当然、通信卓１３から個別の移動局への通信も行える。
【００１０】
概要を説明する。
基地局装置１０は通信卓１３からのプレスオン信号により無線区間に送信（ＦＨ送信）を開始し、プレスオフ信号により終話処理（ＴＣＨアイドル送信）に移行するが、終話処理開始前に予め設定した音声コーデックによる処理遅延時間分、通話状態（ＴＣＨ音声送信）を継続する機能を有するものである。
また、基地局装置１０は移動局２２からのプレスオン（同期信号）により無線区間に送信（ＦＨ送信）を開始し、プレスオフ（ＴＣＨアイドル）により終話処理に移行するが、終話処理開始前に予め設定した音声コーデックによる処理遅延時間分、通話状態（ＴＣＨ音声送信）を継続する機能を有するものである。
さらに、基地局装置１０は通信卓１３からのプレスオン信号により無線区間に送信（ＦＨ送信）を開始し、プレスオフ信号により終話処理（ＴＣＨアイドル送信）に移行するが、直前に行った音声コーデック処理の処理時間を算出し算出結果に基づいて終話処理開始を遅延させることにより、通話状態（ＴＣＨ音声送信）を継続する機能を有するものである。
また、基地局装置１０は移動局２２からのプレスオン（同期信号）により無線区間に送信（ＦＨ送信）を開始し、プレスオフ（ＴＣＨアイドル）により終話処理に移行するが、音声コーデック処理の処理時間を算出し、算出結果に基づいて終話処理開始を遅延させることにより、通話状態（ＴＣＨ音声送信）を継続する機能を有するものである。
【００１１】
通信卓１３のプレスオフ時のシステム動作の具体例を図２を参照して説明する。
通信卓１３はプレスＯＮし（２０１）、プレスオン信号を基地局装置１０に送信する（２０２）。
基地局装置１０は通信卓１３のプレスＯＮによるプレスオン信号により同期信号を生成し、生成した同期信号を移動局２１と移動局２２に送信（２０３）（２０４）し、基地局装置１０は同期信号応答を通信卓１３に通知する（２０５）。
通信卓１３は送話可能状態となり、音声１から音声１送話データを生成し（２０６）、基地局装置１０に音声１（アナログ）として送出する（２０７）。
【００１２】
基地局装置１０は通信卓１３からの音声１（アナログ）を音声コーデックにより規定のフォーマットに変換し（２０８）、ＴＣＨ（Ｔｒａｆｆｉｃ  ＣＨａｎｎｅｌ）音声として移動局２１，２２に対して送信する（２０９）（２１０）。
移動局２１，２２は、音声１データを受話し、スピーカから音声を出力する（２１１）（２１２）。
【００１３】
同様に基地局装置１０は通信卓１３からの音声２（アナログ）〜音声１０（アナログ）を音声コーデックにより規定のフォーマットに変換し、ＴＣＨ音声として移動局２１，２２に対して送信し、移動局２１，２２は受話した音声２データ〜音声１０データをスピーカから音声出力する（２１３）〜（２２６）。
【００１４】
さらに、通信卓１３はプレスＯＦＦ（一斉通報）時にプレスオフ信号を生成し（２２７）、基地局装置１０に送信する（２２８）。
基地局装置１０は通信卓１３からのプレスオフ信号受信後も音声コーデックによる遅延時間分送信状態を継続するため、プレスオフ信号受信前の音声データ量から音声コーデック処理時間を算出し（２２９）、プレスオフ信号を算出した処理時間分遅延させて（２３０）、ＴＣＨアイドル（終話処理）を移動局２１，２２に送信（ＦＨ送信）する（２３１）（２３２）と共に通信卓１３にプレスオフ信号応答を送信する（２３３）。
これにより、通信卓１３は通話を終話（２３４）し、移動局２１，２２は終話認識する（２３５）（２３６）。
上記処理により、通信卓１３から出力した音声は、プレスオフ信号を算出した処理時間分遅延させるため、後部音声の欠け（音声の尻切れ）を回避できる。
【００１５】
次に、本発明の他の一実施例について図３を用いて説明する。
図３は本発明の他の一実施例に係る無線通信システムの動作を説明するためのシーケンス図である。
ここでは、移動局２１から通信卓１３に対して通信処理する場合のシステム動作の具体例を説明する。
移動局２１は、プレスＯＮすると（３０１）、同期信号を基地局装置１０に送信する（３０２）。
基地局装置１０は移動局２１のプレスＯＮによる同期信号を受信し、通信卓１３へ着信ＯＮ通知（３０３）および移動局２１，２２の無線区間に対し同期信号を送信する（３０４）（３０５）。
【００１６】
移動局２１は基地局装置１０からの同期信号により送話可能状態となり、音声１から音声１送話データを生成し（３０６）、基地局装置１０に音声１データとして送出する（３０７）。
【００１７】
基地局装置１０は移動局２１からの音声１データを通信卓１３に対して音声１（アナログ）を送信する（３０９）と共に音声コーデックにより規定のフォーマットに変換し（３０８）、ＴＣＨ（Ｔｒａｆｆｉｃ  ＣＨａｎｎｅｌ）音声として移動局２１，２２に対して送信する（３１１）（３１２）。
通信卓１３は音声１データを受話し、スピーカから音声を出力する（３１０）。
移動局２１は音声１データを受話してもハウリング防止のため、ミュートしてスピーカから音声を出力しない（３１３）。
移動局２２は音声１データを受話し、スピーカから音声を出力する（３１４）。
【００１８】
同様に移動局２１は、音声２〜音声１０から音声２送話データ〜音声１０送話データを生成し（３１５）（３２４）、基地局装置１０にＴＣＨ音声２データ〜ＴＣＨ音声１０データとして送出する（３１６）（３２５）。
基地局装置１０は移動局２１からの音声２データ〜音声１０データを通信卓１３に対して音声２（アナログ）〜音声１０（アナログ）を送信する（３１８）（３２７）と共に音声コーデックにより規定のフォーマットに変換し（３１７）（３２６）、ＴＣＨ音声として移動局２１，２２に対して送信する（３２０）（３２１）（３２９）（３３０）。
通信卓１３は、音声２（アナログ）〜音声１０（アナログ）を受話し、スピーカから音声を出力する（３１９）（３２８）。
移動局２１は、音声２データ〜音声１０データを受話してもハウリング防止のため、ミュートしてスピーカから音声を出力しない（３２２）（３３１）。
移動局２２は、音声２データ〜音声１０データを受話し、スピーカから音声を出力する（３２３）（３３２）。
【００１９】
さらに、移動局２１はプレスＯＦＦ時にプレスオフ信号を生成し（３３３）、基地局装置１０にプレスオフ信号（ＴＣＨアイドル）を送信する（３３４）。
基地局装置１０は移動局２１からのプレスオフ信号受信後も音声コーデックによる遅延時間分送信状態を継続するため、プレスオフ信号受信前の音声データ量から音声コーデック処理時間を算出し（３３５）、プレスオフ信号を算出した処理時間分遅延させて（３３６）、通信卓１３に着信ＯＦＦ信号を送信する（３３７）と共にＴＣＨアイドル（終話処理）を移動局２１，２２に送信する（３３９）（３４０）。
これにより、通信卓１３は終話認識（３３８）し、移動局２１は通話を終話する（３４１）。
さらに、移動局２２は終話認識する（３４２）。
上記処理により、移動局２１から出力した音声は、プレスオフ信号を算出した処理時間分遅延させるため、後部音声の欠け（音声の尻切れ）を回避できる。
また、移動局はプレスＯＮによる送信状態では、自局の受信スピーカをミュートする機能を有し、プレスＯＦＦ後はスピーカ出力可能となるが、移動局２１はプレスＯＦＦ後も音声コーデックによる遅延時間分ミュート状態を継続し、基地局装置１０がＦＨ送信継続することで受信する自分（移動局２１）の折返し音声をミュートする機能を有する。つまり、移動局２１はプレスＯＦＦから一定時間、ＦＨ信号に対するスピーカがＯＦＦ状態となる。
【００２０】
上述の音声コーデック処理時間算出は、基地局装置１０がプレスオフ信号受信の度に、終話処理開始のタイマーを起動させることにより行っても良く、実際に処理時間を算出せずにデータ量に応じた処理時間のテーブルを用意し、コーデック処理すべき音声データのデータ量に応じて、テーブルから処理時間を読み出しても良い。
【００２１】
このように、本発明は、一定時間通話状態を継続した後に終話処理を開始することができるものであり、基地局装置は、通信卓や移動局からのプレスオフ信号受信号でも、終話処理開始前に再度プレスオン信号を受信した場合には、予め設定した音声コーデックによる遅延時間が経過しても終話処理に移行することなく、通話状態を継続することができる。さらに、再度プレスオフ信号を受信した場合には、予め設定した音声コーデック処理時間に応じて通話状態を継続した後に終話処理を開始することができる。
【００２２】
本発明によれば、プレストーク方式の無線通信システムにおいて、プレスオフ後、所定時間は終話処理を開始しないため、所定時間内にプレスオンすれば通話を継続できる。
また、送話側から送信するプレスオフ時の終話処理開始信号を前回送信した音声データの音声コーデック処理時間に応じて遅延させるため、後部音声の欠け（音声の尻切れ）を回避できる。
【００２３】
以上本発明について詳細に説明したが、本発明は、ここに記載された無線通信システムに限定されるものではなく、上記以外の無線通信システムに広く適用することができることは言うまでもない。
【符号の説明】
【００２４】
１０：基地局装置、１１：基地局、１２：回線制御装置、１３：通信卓、１４：基地局ゾーン、２１，２２：移動局。
【図１】
2014078827.tif 000003
【図２】
2014078827.tif 000004
【図３】
2014078827.tif 000005